(57)【要約】【課題】従来のハウスをカーテンで区画し、この区画した部位（空間）を暖房する構成である。従って、単なる間仕切りと、暖房効率を図るに留まっており、更なる改良が要望されている。【構成】本発明は、ハウスの天井面、空間部に空調機器のエアーカーテン生成用の機材を配備し、この機材の近傍に、必要時にエアーカーテンを生成し、このエアーカーテンの下側のハウス内の冷暖房を図るハウスの空調装置である。従って、ハウスの長手方向及び／又は短手方向の梁の近傍又は梁のラインに空調機器を設置し、エアーカーテンで、暖冷房の効率化及び／又は省エネルギー化が図れる。【選択図】図１
2007312714.tif 000002
【特許請求の範囲】
【請求項１】
ハウスの天井面、空間部に空調機器のエアーカーテン生成用の機材を配備し、この機材の近傍に、必要時にエアーカーテンを生成し、このエアーカーテンの下側のハウス内の冷暖房を図る構成としたハウスの空調装置。
【請求項２】
請求項１に記載のハウスの空調装置において、その天井面、空間部を、ハウスの天井の梁の近傍又は梁のラインとする構成としたハウスの空調装置。
【請求項３】
請求項１に記載のハウスの空調装置において、その空調機器を、天井面、空間部の水平方向に縦列配置する構成としたハウスの空調装置。
【請求項４】
請求項１に記載のハウスの空調装置において、その空調機器を、撹拌扇、循環扇、換気扇等の空調手段とする構成としたハウスの空調装置。
【請求項５】
請求項１に記載のハウスの空調装置において、その空調機器が、ハウスの水平方向にエアーを送出す手段及び／又は天井面に向かってエアーを上昇可能とする手段を設ける構成としたハウスの空調装置。
【請求項６】
請求項５に記載のハウスの空調装置において、そのハウスの水平方向にエアーを送出す手段が、邪魔板であって、
この邪魔板がこの空調機器のケーシングより僅かに突出する構成としたハウスの空調装置。
【請求項７】
請求項６に記載のハウスの空調装置において、その邪魔板は、その水平方向で、可変とし、空調機器から送出されるエアーの送出し方向を変更可能とする構成としたハウスの空調装置。
【請求項８】
請求項６に記載のハウスの空調装置において、その邪魔板を、遠隔操作で制御可能とする構成としたハウスの空調装置。
【請求項９】
請求項６に記載のハウスの空調装置において、その邪魔板を、透明のビニール部材と枠体でなる構成としたハウスの空調装置。
【発明の詳細な説明】
【技術分野】
【０００１】
本発明は、果菜類、根菜類、その他の野菜類を栽培するハウス（ビニールハウス、ガラスハウス等のハウス）の空調装置に関するものであり、その詳細は、空調（冷暖房の効率化及び／又はハウス内の空調）の効率化と、省資源、又は機材の有効利用とを図る空調装置（空調システム）に関する。
【背景技術】
【０００２】
ハウスの空調装置は、このハウス内の壁面に設けた吊りワイヤ及び／又は梁の近傍の水平方向に設けた吊りワイヤ等を介してカーテンを張装し、このカーテンで仕切り、その閉塞及び／又は仕切られた空間において調整する方法が採用されている。その一例を示すと、文献（１）の特開平５−１７６６３８号の「温室の融雪装置」において開示されている構成では、側面カーテン及び／又は上部カーテンで区画し、屋根裏空間及び外壁空間の所定の空間（エリア）を高温に維持し、融雪の効率化を図ることを意図する。従って、この発明は、理屈に合っており、それなりの効果は期待できる。しかし、カーテンの設置を、如何にするのか、又は空間の高温の空気を搬送する構成であり、装置の複雑化、コストの上昇等のメンテナンス面で課題があると考えられる。また文献（２）の特開平８−３０８３９５号の「複合環境制御装置および方法」において開示されている構成では、温室内を保温用カーテンで開閉し、この温室内の空調を時間態勢で制御することを意図する。しかし、この発明の空調は、単なる温度調整の域に留まっていると考えられる。
【０００３】
上記に鑑み、本発明は、この種のハウスにおける冷暖房の効果を確保すること、またハウスでの健全な生育と、収穫の拡充及び／又は品質の向上、さらには各人が所望する作物を、効率的かつ簡易に栽培すること等を意図し、農業に従事する人々（農作業者とする）、又は一般消費者等にとっても有益なハウスの空調装置を提供し、以下のような特徴を発揮する。
【０００４】
［１］  先ず、ハウスの長手方向及び／又は短手方向の梁の近傍又は梁のラインに空調機器を設置し、この部位にエアーカーテンを形成し、暖冷房の効率化及び／又は省エネルギー化を図ること、地球環境の維持を図ること等を意図する。
【０００５】
［２］  そして、夏季では、効率的な換気と、天井部の熱気を遮断するようにし、作物の高温障害の回避、酸欠防止、病気の発生・蔓延防止等を図ること意図する（作物の生育環境とする）。
【０００６】
［３］  また空調機器の多様な送風を図ることで、ハウス内の空調と、作物の生育環境の確保とを図ることで、作物の生育を図り、収穫の拡充と、品質の向上を図ること等を意図する。
【０００７】
［４］  さらに冬季では、暖房面積の縮小化を達成し、暖房費の節約と、資源の有効利用と、環境保護を図ること等を意図する。
【０００８】
【特許文献１】特開平５−１７６６３８号
【特許文献２】特開平８−３０８３９５号
【発明の開示】
【発明が解決しようとする課題】
【０００９】
文献（１）、文献（２）は、カーテンを介してハウスを区画し、この区画した部位（空間）を暖房する構成である。従って、単なる間仕切りと、暖房効率を図るに留まる。従って、文献（１）、文献（２）では、本発明が意図する前述した［１］〜［４］の特徴は達成できないと考えられる。
【課題を解決するための手段】
【００１０】
請求項１の発明は、前述の［１］〜［４］の目的を達成することを意図する。
【００１１】
請求項１は、ハウスの天井面、空間部に空調機器のエアーカーテン生成用の機材を配備し、機材の近傍に、必要時にエアーカーテンを生成し、エアーカーテンの下側のハウス内の冷暖房を図る構成としたハウスの空調装置である。
【００１２】
請求項２の発明は、請求項１の目的を達成すること、この目的を達成するのに最適な調合装置の設置場所を提供することを意図する。
【００１３】
請求項２は、請求項１に記載のハウスの空調装置において、その天井面、空間部を、ハウスの天井の梁の近傍又は梁のラインとする構成としたハウスの空調装置である。
【００１４】
請求項３の発明は、請求項１の目的を達成すること、この目的を達成するのに最適な調合装置の配置構造を提供することを意図する。
【００１５】
請求項３は、請求項１に記載のハウスの空調装置において、その空調機器を、天井面、空間部の水平方向に縦列配置する構成としたハウスの空調装置である。
【００１６】
請求項４の発明は、請求項１の目的を達成すること、この目的を達成するのに最適な調合装置の空調手段を提供することを意図する。
【００１７】
請求項４は、請求項１に記載のハウスの空調装置において、その空調機器を、撹拌扇、循環扇、換気扇等の空調手段とする構成としたハウスの空調装置である。
【００１８】
請求項５〜８の発明は、請求項１の目的を達成すること、この目的を達成するのに最適な調合装置の付帯設備を提供することを意図する。
【００１９】
請求項５は、請求項１に記載のハウスの空調装置において、その空調機器が、ハウスの水平方向にエアーを送出す手段及び／又は天井面に向かってエアーを上昇可能とする手段を設ける構成としたハウスの空調装置である。
【００２０】
請求項６は、請求項５に記載のハウスの空調装置において、そのハウスの水平方向にエアーを送出す手段が、邪魔板であって、
この邪魔板がこの空調機器のケーシングより僅かに突出する構成としたハウスの空調装置である。
【００２１】
請求項７は、請求項６に記載のハウスの空調装置において、その邪魔板は、その水平方向で、可変とし、空調機器から送出されるエアーの送出し方向を変更可能とする構成としたハウスの空調装置である。
【００２２】
請求項８は、請求項６に記載のハウスの空調装置において、その邪魔板を、遠隔操作で制御可能とする構成としたハウスの空調装置である。
【００２３】
請求項９の発明は、請求項１の目的を達成すること、この目的を達成するのに最適で、作物の光合成に好影響を与え得る邪魔板を提供することを意図する。
【００２４】
請求項９は、請求項６に記載のハウスの空調装置において、その邪魔板を、透明のビニール部材と枠体でなる構成としたハウスの空調装置である。
【発明の効果】
【００２５】
請求項１の発明は、ハウスの天井面、空間部に空調機器のエアーカーテン生成用の機材を配備し、この機材の近傍に、必要時にエアーカーテンを生成し、このエアーカーテンの下側のハウス内の冷暖房を図る構成としたハウスの空調装置である。
【００２６】
従って、請求項１は、下記のような特徴を有する。
【００２７】
［１］  先ず、ハウスの長手方向及び／又は短手方向の梁の近傍又は梁のラインに空調機器を設置し、この部位にエアーカーテンを形成し、暖冷房の効率化及び／又は省エネルギー化が図れる。また地球環境の維持が図れる。
【００２８】
［２］  そして、夏季では、効率的な換気と、天井部の熱気を遮断するようにし、作物の高温障害の回避、酸欠防止、病気の発生・蔓延防止等が図れる（作物の生育環境の向上が図れる）。
【００２９】
［３］  また空調機器の多様な送風を図ることで、ハウス内の空調と、作物の生育環境の確保が図れる。また作物の生育を図り、収穫の拡充と、品質の向上が図れる。
【００３０】
［４］  さらに冬季では、暖房面積の縮小化を達成し、暖房費の節約と、資源の有効利用と、環境保護が図れる。
【００３１】
［５］  特別な装置及び／又は作業を行わず、所期の目的を達成できる。
【００３２】
請求項２の発明は、請求項１に記載のハウスの空調装置において、天井面、空間部を、ハウスの天井の梁の近傍又は梁のラインとする構成としたハウスの空調装置である。
【００３３】
従って、請求項２は、請求項１の目的を達成できること、この目的を達成するのに最適な調合装置の設置場所を提供できること等の特徴を有する。
【００３４】
請求項３の発明は、請求項１に記載のハウスの空調装置において、空調機器を、天井面、空間部の水平方向に縦列配置する構成としたハウスの空調装置である。
【００３５】
従って、請求項３は、請求項１の目的を達成できること、この目的を達成するのに最適な調合装置の配置構造を提供できること等の特徴を有する。
【００３６】
請求項４の発明は、請求項１に記載のハウスの空調装置において、空調機器を、撹拌扇、循環扇、換気扇等の空調手段とする構成としたハウスの空調装置である。
【００３７】
従って、請求項４は、請求項１の目的を達成できること、この目的を達成するのに最適な調合装置の空調手段を提供できること等の特徴を有する。
【００３８】
請求項５の発明は、請求項１に記載のハウスの空調装置において、空調機器が、ハウスの水平方向にエアーを送出す手段及び／又は天井面に向かってエアーを上昇可能とする手段を設ける構成としたハウスの空調装置である。
【００３９】
請求項６の発明は、請求項５に記載のハウスの空調装置において、ハウスの水平方向にエアーを送出す手段が、邪魔板であって、
邪魔板がこの空調機器のケーシングより僅かに突出する構成としたハウスの空調装置である。
【００４０】
請求項７の発明は、請求項６に記載のハウスの空調装置において、邪魔板は、水平方向で、可変とし、空調機器から送出されるエアーの送出し方向を変更可能とする構成としたハウスの空調装置である。
【００４１】
請求項８の発明は、請求項６に記載のハウスの空調装置において、邪魔板を、遠隔操作で制御可能とする構成としたハウスの空調装置である。
【００４２】
従って、請求項５〜８は、請求項１の目的を達成できること、この目的を達成するのに最適な調合装置の付帯設備を提供できること等の特徴を有する。
【００４３】
請求項９の発明は、請求項６に記載のハウスの空調装置において、邪魔板を、透明のビニール部材と枠体でなる構成としたハウスの空調装置である。
【００４４】
従って、請求項９は、請求項１の目的を達成できること、この目的を達成するのに最適で、作物の光合成に好影響を与え得る邪魔板を提供できること等の特徴を有する。
【発明を実施するための最良の形態】
【００４５】
本発明の一例を説明する。
【００４６】
図１はハウスの正面模式図、図２は図１の側面模式図、図３は図１の邪魔板の他の一例を示した拡大正面図、図４は図１の邪魔板のさらに他の一例を示した拡大正面図、図５は図１の邪魔板の別の一例を示した拡大正面図を示す。
【００４７】
図において、ハウス１（温室等の建屋含む）を正面視した状態で、ハウス１の短手方向（妻側）の梁２の近傍（図示の例である）又は梁２のラインに複数の撹拌扇、循環扇、換気扇等の空調機器４を設置する。図示しないが、ハウス１の長手方向（棟側）の梁２等に設けることもあり得る。そして、この空調機器４を、短手及び／又は長手方向の梁２の近傍又は梁２のラインに、隙間３を介して一基又は複数基設置し、この部位に確実にエアーカーテン８を生成すること、またハウス１に内張り１ａすることと合わせて（二重内張り構造）、後述する冷暖房と、空調とを図る構成である。そして、この空調機器４の下方４ａに、適宜の空間５を持って邪魔板６を設ける。この邪魔板６を設ける理由は、羽根車４ｂからの送風を、下向きＡから略水平方向Ａ１に送り、この梁２の近傍又は梁２のラインに略水平方向のエアーカーテン８を生成することである。そして、このエアーカーテン８を介してハウス１内の空間１００、１０１に区画し、空間１００の暖房（冷房）のエリアを狭くする構成であり、例えば、暖房（冷房）効率を図る。また作物の生育環境の確保を図る。さらに地球環境の維持を図る。また二重内張りに対して、エアーカーテン８による内張り構造も、ハウス１の条件、作物の種類と生育状況と、また気象条件等により可能の場合もあり得る。そして、この一例において、面積比で考察すると、略２：１となっているが構成を開示する。そして、この比率では、低木（幹）等の例では可能であり、最も効率的な冷暖房と、空調が図れるものと考えられるが、あくまで一例である。
【００４８】
尚、図３の如く、邪魔板６を可変として（凸形状）、送風の方向を多様化し、送風を確実に空調機器４にリターンする構造、又はエアーカーテン８の積層を拡充するか、方向性に変化を持たせる等の方法で、効率的な送風と、作物の保護と、空調の効率化等を図ることも可能である。また図４の如く、可変し（凹形状）、送風をさらに上向きにすることも可能であり、送風の上昇方向への移動に有効である。そして、図示しないが、この図３、図４の可変は、遠隔操作での調整を介して使用の簡便性、安全性の向上、又は送風の容易な変更等を図ることが有益である。そして、この例の如く、邪魔板６を介して送風を上向きにした場合には、この風は隙間３より空気機器４に吸込まれる。従って、図示の如く、旋回流が生成される。図中６００は邪魔板６を支持する支持体を示す。尚、図５の邪魔板６の別の一例を示した拡大正面図であって、透明又は半透明（透明とする）のビニール部材であって、光りの透過を許す構成とし、作物の光合成（熟成、病気の回避等を含む）に役立つ。また暖房効果も可能であること、夏季等の高温時において遮蔽部材で覆うこともあり得る。この邪魔板６は枠体６０１及び／又は支持具等で支持することもあり得る。
【００４９】
そして、各例において、空調機器４を介して室内空気を撹拌することで、例えば、天井面に暖気層を形成し空調と、暖房効果を図ることも可能である。
【００５０】
また図中１０は仕切り板を示しており、邪魔板６からの上方への送風空気の衝突を回避するために必要により設けることもあり得る。
【図面の簡単な説明】
【００５１】
【図１】図１はハウスの正面模式図
【図２】図２は図１の側面模式図
【図３】図３は図１の邪魔板の他の一例を示した拡大正面図
【図４】図４は図１の邪魔板のさらに他の一例を示した拡大正面図
【図５】図５は図１の邪魔板の別の一例を示した拡大正面図
【符号の説明】
【００５２】
１              ハウス
１ａ            内張り
１００          空間
１０１          空間
２              梁
３              隙間
４              空調機器
４ａ            下方
４ｂ            羽根車
５              空間
６              邪魔板
６００          支持体
６０１          枠体
８              エアーカーテン
１０            仕切り板
【図１】
2007312714.tif 000003
【図２】
2007312714.tif 000004
【図３】
2007312714.tif 000005
【図４】
2007312714.tif 000006
【図５】
2007312714.tif 000007